(57)【要約】【課題】ガーゼ層に異なる色のパイル層を重ねて多層化し、基体や柄の部分に各層の色を具現しながらカラフルな多層構造の絵柄付パイルガーゼを製織する方法において、ガーゼの特質を活かしつつカラフルなパイルガーゼを提供する。【解決手段】ヨコ糸３本毎に少なくとも１つはガーゼ層として３以上の層を定めると共に、内２層を前記ガーゼの色とは異なると共に、かつ相互に異なる色のパイル糸を充当したパイル層に定め、前記基体及び柄の部分に対して所定のパイル層から所要の色のパイルを突出させて、カラフルな多層構造の絵柄付パイルガーゼを製織することを特徴とするパイルガーゼの製織方法。【選択図】図1
2007303008.tif 000002
【特許請求の範囲】
【請求項１】
ガーゼ層に異なる色のパイル層を重ねて多層化し、基体や柄の部分に各層の色を具現しながらカラフルな多層構造の絵柄付パイルガーゼを製織する方法において、
ヨコ糸３本毎に少なくとも１つはガーゼ層として３以上の層を定めると共に、内２層を異なる色のパイル糸を充当したパイル層に定め、
前記基体及び柄の部分に対して所定のパイル層から所要の色のパイルを突出させて、カラフルな多層構造の絵柄付パイルガーゼを製織することを特徴とするパイルガーゼの製織方法。
【請求項２】
前記層の内少なくとも１つの層には縮まない経糸が用いられ、他の層の内少なくとも１つの層には縮む経糸が用いられ、直線的に配置される縮む経糸に対して縮まない経糸を波状配置することにより、伸縮性のある柔軟なパイルガーゼを製織することを特徴とする請求項１記載のパイルガーゼの製織方法。
【請求項３】
ガーゼ層の表裏に異なる色の一対のパイル層を配置したことを特徴とする請求項１記載のパイルガーゼの製織方法。
【請求項４】
一対のパイル層の表裏に一対のガーゼ層を配置し、ガーゼ層の糸を水分を吸収しない糸を使用し、パイル層の糸を水分を吸収する糸としたことを特徴とする請求項１記載のパイルガーゼの製織方法。
【請求項５】
１針パイル、２針パイル、１針ガーゼ、２針ガーゼの４層構造を有し、内少なくとも１つの層を他の層の間に配置変換しながら複雑な柄模様を製織することを特徴とする請求項１記載のパイルガーゼの製織方法。
【発明の詳細な説明】
【技術分野】
【０００１】
本発明は、ガーゼ層にその色とは異なると共に、かつ相互に異なる色の２色のパイル層を重ねて構成される絵柄付パイルガーゼの製織方法に関する。
【背景技術】
【０００２】
近年、ガーゼともタオルとも言い難いタオルガーゼ或いはパイルガーゼともいうべき商品が出現した。これは、タオルとガーゼを重畳し、多層構造とした商品である。
【０００３】
従来のパイルガーゼの製織方法としては、例えば特開平１１−３５０３００号の例がある。これは、二重タオル織物であって、ガーゼ層に異色の地経糸をタオル及びガーゼに用いると共に、地経糸をタオル及びガーゼに共用として、袋状に構成される全体面の一方の面にのみパイル経糸を適用したものである。従って、適宜位置でのパイル突出により、パイル色に応じて図柄の１部をカラフルに表現できる。
【０００４】
しかしながら、この種従来の絵柄付パイルガーゼの製織方法にあっては、柄を表現するのにガーゼ色とパイル１色により表現するものであったため、表面側でガーゼ色とパイル色１の色表現しかできなかった。
【特許文献１】特開平１１−３５０３００号公報、第１頁、図２
【発明の開示】
【発明が解決しようとする課題】
【０００５】
上記従来技術に鑑みて本発明は、夫々が色の異なるパイルの２重織りを利用することにより、ガーゼ部分の色に加えてパイルの色を２色で表現し、よりカラフルで商品性の高いパイルガーゼを提供することを目的とする。
【０００６】
また、地経糸として縮む糸と縮まない糸を組合わせることにより、より柔軟でよりカラフルなパイルガーゼを提供することを目的とする。
【０００７】
さらに、パイルを有さないガーゼ層の表裏に異なる色の一対のパイル層を配置した４層構造とすることにより、より膨らみ感のあるカラフルなパイルガーゼを提供することを目的とする。
【０００８】
またさらに、一対のパイル層の表裏にパイルを有さないガーゼ層を配置した４層構造とすることにより、より膨らみ感のあるカラフルなパイルガーゼを提供することを目的とする。
【０００９】
さらに、１針パイル、２針パイル、１針ガーゼ、２針ガーゼの４層構造において、内少なくとも１つの層を他の層の間に配置変更しつつ製織することにより、カラフルで高級感溢れるパイルガーゼを提供することを目的とする。
【課題を解決するための手段】
【００１０】
上記課題を解決するための本発明は、ガーゼ層に異なる色のパイル層を重ねて多層化し、基体や柄の部分に各層の色を具現しながらカラフルな多層構造の絵柄付パイルガーゼを製織する方法において、ヨコ糸３本毎に少なくとも１つはガーゼ層として３以上の層を定めると共に、内２層を異なる色のパイル層に定め、前記基体及び柄の部分に対して所定のパイル層から所要の色のパイルを突出させて、カラフルな多層構造の絵柄付パイルガーゼを製織することを特徴とする。
【００１１】
本発明では、多層構造で少なくとも内２層はパイル層で、かつ夫々のパイルの色を異ならしめる。従って、少なくとも１つのガーゼ層と異なる色の２層のパイル層を組み合わせて基体又は柄の部分を任意の層、即ち色で織り成すことにより、任意のパイル層からその層が有する色のパイルを突出させて、ガーゼの色と、パイル２色でカラフルに表現できる。
【００１２】
前記層の内少なくとも１つの層には縮まない経糸を用い、他の層の内少なくとも１つの層には縮む経糸を用い、直線的に配置される縮む経糸に対して縮まない経糸層を波状配置することにより、伸縮性のある柔軟なパイルガーゼを製織することができる。
【００１３】
ガーゼ層の表裏に異なる色の一対のパイル層を配置することができる。これにより膨らみがあってカラフルな商品を製織できる。
【００１４】
一対のパイル層の表裏にパイルを有さないガーゼ層を配置することができる。表裏にガーゼが現われ、内部に２層のパイル層が含有される形となる。ガーゼ層に水分を吸収しない糸を用い、パイル層に水分を吸収する糸を用いれば、表面はサラッとし、吸水性の高いパイルガーゼとすることができる。
【００１５】
１針パイル、２針パイル、１針ガーゼ、２針ガーゼの４層構造を有し、内少なくとも１つの層を他の層の間に配置変換しながら製織することができる。各層の配置組合せを自由に行って絵柄表現することができるので、カラフルで高級感溢れる商品を作ることができる。
【発明の効果】
【００１６】
本発明では、３層以上で少なくとも１つはガーゼ層、かつ内２層はパイル層で、夫々のパイルの色を異ならしめている。従って、基体の部分及び柄の部分に応じて、任意の層を表出して任意の色で柄表現でき、ガーゼ感覚を残しながらカラフルなパイルガーゼを製織することができる。
【００１７】
ガーゼ層の表裏に夫々色の異なるパイル層を配置したり、パイル層の表裏に一対のガーゼ層を配置し、或いは２枚のガーゼ及び２枚のパイルを相互に入れ換えつつ種々の組合わせを行うことができ、一層カラフルで高級感溢れるパイルガーゼを作ることができる。
【発明を実施するための最良の形態】
【００１８】
以下、添付図面を参照しつつ、本発明を実施するための最適の形態を説明する。図１は本発明の一実施形態を示す説明図で、（ａ）図は断面図、ｂ（ｂ−１、ｂ−２）図は組織図である。図２は、この製織方法による製品例を示す説明図で、（ａ）図は表面図、（ｂ）、（ｃ）、（ｄ）は裏面図を示す。
【００１９】
図１（ａ）において、左方を表（ＳＦ）、右方を裏（ＢＫ）とする。図（ｂ）において、図（ａ）の上方部分の組織を（ｂ−１）で、下方部分の組織を（ｂ−２）に分けて示す。
【００２０】
本例のパイルガーゼ１は、一層のガーゼ層Ｇ１と２層のパイル層Ｐ１、Ｐ２を備えている。ヨコ糸を下方より順にＹ１〜Ｙ９で示す。タテ糸をＴ１〜Ｔ１２で示す。図の配置において、各タテ糸Ｔ１〜Ｔ１２を名称づけると、表１の通りである。色は、ガーゼ層が青、第１パイル層が白、第２パイル層は赤の例で示す。
【表１】
2007303008.tif 000003
【００２１】
以上の構成により、順次３本ずつのヨコ糸Ｙ１、Ｙ２、Ｙ３を第１パイル層Ｐ１に、Ｙ４、Ｙ５、Ｙ６を第２パイル層Ｐ２に、Ｙ７、Ｙ８、Ｙ９をガーゼ層Ｇ１に割り当てながら、適宜位置で交差させ、任意の位置で任意の層を表出させることにより、任意の柄を任意の色（青、白、赤）でカラフルに織ることができる。
【００２２】
図２（ａ）（ｂ）に示すように、本例のパイルガーゼ１は表裏３層の袋状を為し、表面側では地の部分を第１パイル層（白）で織り、水玉模様をガーゼ層Ｇ１で織り、花びら模様を第２パイル層（赤）で織ること等ができる。このとき、裏面では、地の部分を第２パイル層Ｐ２（赤）で織り、水玉模様を第１及び第２パイル層の混合色で織り、花びら模様を第１パイル層Ｐ１（白）で織ること等ができる。（ｃ）図は裏面の他の例で、地の部分をガーゼ層（青）で織り、水玉模様を第１及び第２のパイル層（Ｐ１＋Ｐ２）で織った例である。（ｄ）図はさらに他の例で、地全体をガーゼ層Ｇ１とした例である。
【００２３】
再度図１において、ガーゼ経Ｔ３、Ｔ６、Ｔ９、Ｔ１２として縮む糸を用い、パイル層下経Ｔ２、Ｔ８、Ｔ５、Ｔ１１として縮まない糸を用い、パイル層を弛ませて織ることができる。これにより、縮まないガーゼ経Ｔ３、Ｔ６、Ｔ９、Ｔ１２と織りなすパイル経糸に弛みができるので、凹凸感が生じ、カラフル感に加えてさらなる伸縮性を与えることができる。
【００２４】
また、ガーゼ層の経糸Ｔ３、Ｔ６、Ｔ９、Ｔ１２及びヨコ糸Ｙ７、Ｙ８、Ｙ９として大番手の糸又は無撚糸を使用することにより、パイル地でありながらキルト的な感触のあるパイルガーゼを製織することができる。
【００２５】
図３に示すパイルガーゼ２は４層構造で、２層のパイル層Ｐ１、Ｐ２を内側とし、その表裏に一対のガーゼ層ＳＦＧ、ＢＫＧを配置したものである。１２本のタテ糸Ｔ１〜Ｔ１２の名称は表２に示す通りである。本例の２層のガーゼ層ＳＦＧ、ＢＫＧは、３本のヨコ糸Ｙ７、Ｙ８、Ｙ９を交互に絡め、表裏共に目の粗い組織で構成している。
【表２】
2007303008.tif 000004
【００２６】
各層Ｐ１、Ｐ２、ＳＦＧ、ＢＫＧは相互に配置交換できるので、目の粗いガーゼ層ＳＦＧ、ＢＫＧの内側で、白や赤等各パイル層の色を微妙に変化させて柄を織ることもでき、高級感を出すことができる。
【００２７】
また、柄を織らない部分においてであるが、ガーゼ層の糸を水分を吸収しない糸を使用し、パイル層の糸を水分を吸収する糸を使用すれば、表面はサラッとして中は水分を保持でき、保湿性の高い製品を作ることができる。これは、介護用のシーツ等に最適である。
【００２８】
図４に示すパイルガーゼ３は、図３と同様の４層構造で、第１パイル層Ｐ１の表裏に第１及び第２のガーゼ層ＳＦＧ、ＢＫＧを配置し、その表面に第２パイル層Ｐ２を置き、その第２のパイル層Ｐ２を交差させて、第１パイル層Ｐ１及び第２ガーゼ層Ｇ２の間に配置変更したものである。各タテ糸Ｔ１〜Ｔ１２の名称は表３に示す通りである。
【表３】
2007303008.tif 000005
【００２９】
図４に示すように、パイル層Ｐ１、Ｐ２及びガーゼ層ＳＦＧ、ＢＫＧは任意に位置変更できるので、図２で示したと同様に、各種各様のカラフルな柄表現をすることができる。しかも、ガーゼ層ＳＦＧ、ＢＫＧを表面又は裏面に持って行くことができるので、ガーゼ感触を残し、肌触りの良い高級感溢れる製品を製織することができる。
【００３０】
本発明は、上記実施形態に限定されるものではなく、各種変形して実施することができ、各種態様で実施できる。
【図面の簡単な説明】
【００３１】
【図１】本発明のガーゼパイルの一実施形態を示す説明図で、（ａ）図は断面図、（ｂ）図は組織図である。
【図２】図２は図１の製織方法で作った製品例を示し、（ａ）図は表面を、（ｂ）（ｃ）（ｄ）は裏面の構成例を示す。
【図３】本発明の４層構造の２色パイルガーゼの実施形態を示す断面図（ａ）及び組織図（ｂ）である。
【図４】本発明の４層構造の２色パイルガーゼの他の実施形態を示す断面図（ａ）及び組織図（ｂ）である。
【符号の説明】
【００３２】
１、２、３  パイルガーゼ
ＳＦ  表面
ＢＫ  裏面
Ｐ１、Ｐ２  パイル層
Ｇ１、Ｇ２、ＳＦＧ、ＢＫＧ  ガーゼ層
Ｙ１〜Ｙ９  ヨコ糸
Ｔ１〜Ｔ１２  タテ糸
【図１】
2007303008.tif 000006
【図２】
2007303008.tif 000007
【図３】
2007303008.tif 000008
【図４】
2007303008.tif 000009